(57)【要約】  ショーケースは、上面を開口したショーケース本体と、ショーケース本体内の底面部上に移動可能に配置され、陳列部材としての使用時と非使用時とで底面部上における配置姿勢を互いに上下逆として用いられる１又は複数の商品載置部材とを備える。商品載置部材は、商品が載置される平板状の載置部と、載置部の両端部に固定された一対のＬ字状部材とを有し、Ｌ字状部材は載置部に固定された固定部と、固定部に対し垂直に立設された立設部とでＬ字状に構成された線材で構成され、商品載置部材は、使用時にはＬ字状部材の両端部が底面部に載置されるようにしてショーケース本体内に配置され、載置部でショーケース本体内に傾斜した商品載置面を形成する。
2017126070.tif 000002
【特許請求の範囲】
【請求項１】
上面を開口したショーケース本体と、
前記ショーケース本体内の底面部上に移動可能に配置され、陳列部材としての使用時と非使用時とで前記底面部上における配置姿勢を互いに上下逆として用いられる１又は複数の商品載置部材とを備え、
前記商品載置部材は、商品が載置される平板状の載置部と、前記載置部の両端部に固定された一対のＬ字状部材とを有し、前記Ｌ字状部材は前記載置部に固定された固定部と、前記固定部に対し垂直に立設された立設部とでＬ字状に構成された線材で構成され、
前記商品載置部材は、前記使用時には前記Ｌ字状部材の両端部が前記底面部に載置されるようにして前記ショーケース本体内に配置され、前記載置部で前記ショーケース本体内に傾斜した商品載置面を形成するショーケース。
【請求項２】
２つの前記商品載置部材が互いに上下逆に組み合わされて前記ショーケース本体内において前記底面部よりも高い位置に商品載置面を形成する請求項１記載のショーケース。
【請求項３】
前記商品載置部材の前記載置部は、複数の線材を縦横に組み合わせて構成されている請求項１又は請求項２記載のショーケース。
【発明の詳細な説明】
【技術分野】
【０００１】
本発明は、上面が開口したショーケースに関する。
【背景技術】
【０００２】
従来、上面が開口したショーケース本体を備え、ショーケース本体内の底面を平板状に形成し、その上方に任意の商品を収納するようにしたショーケースがある。この種のショーケースにおいて、ショーケース本体内の底面上に複数の商品載置部材を備えたものがある。このショーケースでは、商品載置部材をショーケース本体内の底面上の任意の位置に移動可能とし、商品の収納状況に応じて商品載置部材の配置を変えることで、商品の展示効果を高めるようにしている（例えば、特許文献１参照）。【０００３】
この特許文献１において、商品載置部材は中空の四角形の箱状に形成されている。そして、商品載置部材を適宜積み重ねることで、ショーケース本体の前方側から後方側に向かうにしたがって一段ずつ高くなるような商品載置面を形成したり、一部が高くなる商品載置面を形成したり、商品載置面の形状を任意に変えることを可能としている。
【先行技術文献】
【特許文献】
【０００４】
【特許文献１】特開２００２−３３３２５２号公報
【発明の概要】
【発明が解決しようとする課題】
【０００５】
特許文献１のショーケースにおいて、商品載置部材を使用した商品陳列を行わない場合、商品載置部材を別に保管する場所も無いことから、商品載置部材はショーケース本体内に残されたままとなる。この場合、商品の収納スペースが減少しないように、商品載置部材を上下逆にし、開口を上向きにして配置し、商品載置部材上にも商品を配置するようにしている。【０００６】
しかしながら、商品載置部材が中空の四角形の箱状に形成されているため、ショーケース本体内の底面上に壁が立設された状態となり、商品を自由に配置できない。このため、ショーケース本体内の収納スペースを有効に利用できなくなるという問題があった。【０００７】
また、商品載置部材が中空の四角形の箱状に形成にされているため、商品載置部材を陳列部材として使用する場合、商品載置面は水平面となる。商品として例えばペットボトルを横に倒した状態で商品載置面上に陳列する場合、商品載置面が水平面であると、ショーケースの前面に立ったユーザからすると、商品載置面が前方側から後方側に向かうに連れて高くなる傾斜面の場合に比べて見づらいという問題があった。【０００８】
本発明はこのような点を鑑みなされたもので、商品の傾斜配置を可能にすると共に、商品載置部材の非使用時のショーケース本体内の収納スペースの低減を抑制することが可能なショーケースを提供することを目的とする。
【課題を解決するための手段】
【０００９】
本発明に係るショーケースは、上面を開口したショーケース本体と、ショーケース本体内の底面部上に移動可能に配置され、陳列部材としての使用時と非使用時とで底面部上における配置姿勢を互いに上下逆として用いられる１又は複数の商品載置部材とを備え、商品載置部材は、商品が載置される平板状の載置部と、載置部の両端部に固定された一対のＬ字状部材とを有し、Ｌ字状部材は載置部に固定された固定部と、固定部に対し垂直に立設された立設部とでＬ字状に構成された線材で構成され、商品載置部材は、使用時にはＬ字状部材の両端部が底面部に載置されるようにしてショーケース本体内に配置され、載置部でショーケース本体内に傾斜した商品載置面を形成する。
【発明の効果】
【００１０】
本発明によれば、商品の傾斜配置を可能にすると共に、商品載置部材の非使用時のショーケース本体内の収納スペースの低減を抑制することが可能である。
【図面の簡単な説明】
【００１１】
【図１】本発明の実施の形態１に係るショーケースの一例を示す図である。
【図２】図１のショーケースの商品載置部材を示す斜視図である。
【図３】図１のショーケースの商品載置部材を示す図である。
【図４】図１のショーケースの商品載置部材の非使用時の配置姿勢を示す図である。
【図５】図１のショーケースの商品載置部材を用いて部分的底上げ陳列を行った状態を示す図である。
【発明を実施するための形態】
【００１２】
以下、図面を参照して、本発明の実施の形態について説明する。なお、各図中、同一又は相当する部分には、同一符号を付して、その説明を適宜省略又は簡略化する。また、各図に記載の構成について、その形状、大きさ及び配置などは、本発明の範囲内で適宜変更することができる。また、以下の説明で用いる「上」「下」「左」「右」「前」「後」は、特に断らない限り、ショーケースを正面側から見た場合の方向を意味している。
【００１３】
実施の形態１．
図１は、本発明の実施の形態１に係るショーケースの一例を示す図である。図１において左側がショーケースの正面である。
ショーケース１は、例えば飲料物などの商品３０を陳列した状態で冷却を行うものであって、上面が開口されたショーケース本体２と、ショーケース本体２内に配置された内箱３とを備え、ショーケース本体２と内箱３との間を循環風路空間４として確保している。そして、この循環風路空間４の一端を吸込口５、他の一端を送風口６とし形成して、ショーケース本体２の上面開放面に臨ませるものである。
【００１４】
内箱３は、いわゆるデッキパンと呼ばれる底面部３ａ、前面部３ｂ、背面部３ｃ及び左右側面部で構成されており、内箱３の内部が収納スペース７となっている。
【００１５】
また、循環風路空間４には、冷却装置１０と送風ファン１１とが配置されており、吸込口５から吸入した空気を冷却装置１０で冷却し、送風口６から吐出するようになっている。
【００１６】
ショーケース本体２の下部は機械室１２となっており、ここに圧縮機１３、凝縮器１４、凝縮器１４に送風する凝縮器ファン１５等が配置されている。
【００１７】
冷却装置１０は、周知のように、冷却面積を大きくするためにフィンチューブ形の蒸発コイルが一般に採用されており、この蒸発コイルには高圧側冷媒配管から膨張弁を介して液冷媒を供給している。
【００１８】
そして、ショーケース１は、ショーケース本体２内に本実施の形態１の特徴部分である１又は複数の商品載置部材２０を備えている。
【００１９】
図２は、図１のショーケースの商品載置部材を示す斜視図である。図３は、図１のショーケースの商品載置部材を示す図で、（ａ）は平面図、（ｂ）は側面図である。
商品載置部材２０は、ショーケース本体２内の底面部３ａ上に移動可能に配置され、陳列部材としての使用時と非使用時とで底面部３ａ上における配置姿勢を互いに上下逆として用いられるものである。図２には商品載置部材の使用時の配置姿勢を示している。
【００２０】
商品載置部材２０は、平板状の載置部２１と、載置部２１の両端部に固定された一対のＬ字状部材２２とを備えている。載置部２１は、例えばステンレス製のワイヤー等で構成された複数の線材２１ａを縦横に交差した状態で接合されて平板状に構成されている。なお、載置部２１を板状部材で構成してもよい。Ｌ字状部材２２は、例えばステンレス製のワイヤー等の線材２１ａを略直角に折り曲げて形成されており、載置部２１に固定される固定部２２ａと固定部２２ａに対し垂直に立設された立設部２２ｂとで構成されている。そして、一対のＬ字状部材２２のそれぞれの両端部２２ｃが支持部材２３で連結されている。なお、ここでいう立設部２２ｂの「垂直」とは、厳密に垂直の場合に限定されず略垂直であればよい。
【００２１】
図１及び図２は、商品載置部材２０を陳列部材として使用する使用時の配置姿勢を示しており、Ｌ字状部材２２の両端部２２ｃが底面部３ａ上に載置されるようにしてショーケース本体２内の後方に配置されている。このように配置することで、収納スペース７内に、ショーケース１本体の前方側から後方側に向かうに連れて高くなる商品載置面を形成することができ、商品３０を傾斜陳列することができる。
【００２２】
このように傾斜陳列すると、商品３０が収納スペース７から取り出された場合に、後方に残った商品を、後方から前方に自動的に前出しすることができる。
【００２３】
次に、商品載置部材２０の非使用時の配置姿勢について説明する。
【００２４】
図４は、図１のショーケースの商品載置部材の非使用時の配置姿勢を示す図である。
非使用時は、図４に示したように、商品載置部材２０を図１の配置姿勢とは上下逆にして底面部３ａ上に配置する。図４には、商品載置部材２０を内箱３の後方側の端に寄せて配置した例を示している。ここで、Ｌ字状部材２２の角部２２ｄは直角となっているため、Ｌ字状部材２２を内箱３の底面部３ａと背面部３ｃとに沿った状態で配置することができ、収納スペース７内に無駄なスペースが形成されず、収納スペース７全体を有効利用できる。
【００２５】
また、商品載置部材２０のＬ字状部材２２が線材で構成されているため、非使用時に商品載置部材２０が収納スペース７内に残されていても、底面部３ａ上に立設する壁が形成されることがない。つまり、仮に商品載置部材２０のＬ字状部材２２がＬ字状の２辺を有する三角形状の板材だった場合、図４の配置姿勢において底面部３ａ上に三角形状の壁が立設した状態となり、収納スペース７内の自由な商品配置の妨げになる。また、従来の四角形の箱状の商品載置部材も同様に、底面部３ａ上に壁が立設した状態となり、商品３０の自由な配置に制約が生じる。
【００２６】
これに対し、上述したように商品載置部材２０のＬ字状部材２２を線材で構成したことで、底面部３ａ上に立設する壁が形成されることがない。このため、商品載置部材２０の非使用時に商品載置部材２０を収納スペース７に配置したままとしても、商品載置部材２０の位置を気にせず商品３０を自由に配置することができる。また、見方を変えれば、収納スペース７を無駄にすることなく商品載置部材２０を非使用時に収納スペース７内に保管できる。
【００２７】
また、本実施の形態１の商品載置部材２０は、傾斜陳列に用いられるだけでなく、２つ組み合わせて次の図５に示す部分底上げ陳列を行うこともできる。
【００２８】
図５は、図１のショーケースの商品載置部材を用いて部分的底上げ陳列を行った状態を示す図である。
図５に示すように２つの商品載置部材２０を互いに上下逆に組み合わせて四角形状の載置台２４を形成し、ショーケース本体２内において底面部３ａよりも高い位置に載置部２１により商品載置面２５を形成するようにしてもよい。
【００２９】
以上説明したように、本実施の形態１によれば、商品載置部材２０を平板状の載置部２１と、載置部２１の両端部に固定された一対のＬ字状部材２２とで構成した。これにより、商品載置部材２０の使用時にＬ字状部材２２の両端部２２ｃが底面部３ａに載置されるようにして商品載置部材２０をショーケース本体２内に配置することで、収納スペース７内に傾斜した商品載置面を形成することができ、商品の傾斜配置が可能となる。
【００３０】
また、Ｌ字状部材２２の角部２２ｄを直角としたので、商品載置部材２０の非使用時に使用時とは上下逆にして内箱３の端に寄せて配置することで、商品載置部材２０の位置を気にすること無く自由に商品３０を配置することができ、収納スペース７を無駄なく使用することができる。
【００３１】
また、商品載置部材２０の非使用時に収納スペース７を無駄にすることなく商品載置部材２０を収納スペース７内に保管できるため、商品載置部材２０を収納スペース７から取り出して別途置き場所を確保する必要が無く、使い勝手がよい。
【符号の説明】
【００３２】
１  ショーケース、２  ショーケース本体、３  内箱、３ａ  底面部、３ｂ  前面部、３ｃ  背面部、４  循環風路空間、５  吸込口、６  送風口、７  収納スペース、１０  冷却装置、１１  送風ファン、１２  機械室、１３  圧縮機、１４  凝縮器、１５  凝縮器ファン、２０  商品載置部材、２１  載置部、２１ａ  線材、２２  Ｌ字状部材、２２ａ  固定部、２２ｂ  立設部、２２ｃ  両端部、２２ｄ  角部、２３  支持部材、２４  載置台、２５  商品載置面、３０  商品。
【図１】
2017126070.tif 000003
【図２】
2017126070.tif 000004
【図３】
2017126070.tif 000005
【図４】
2017126070.tif 000006
【図５】
2017126070.tif 000007
【国際調査報告】
2017126070.tif 000008
2017126070.tif 000009
2017126070.tif 000010